(57)【要約】【課題】水平方向の土圧の支持に配慮し、簡単な構成で、パレットを用いずに搬送可能で搬送・設置作業を容易に行うことができ、設置コストを低く抑えた地下構造体を提供する。【解決手段】互いに間隔を開けて配置された複数の鉛直部材２（２Ａ〜２Ｄ）と、複数の鉛直部材を一体的に連結する連結部材３（３Ａ、３Ｂ）とを備えた地下構造体１であって、地下構造体の水平方向の端部に位置する鉛直部材２Ａと、鉛直部材に隣接する鉛直部材２Ｂの各々に相対向する突出部２ｂを設け、突出部が互いに当接する地下構造体等。複数の鉛直部材は各々板状に形成され、板状鉛直部材の各々は、突出部が立設された面の反対側の面に、該突出部と同形の突出部を挿入可能な孔部２ｃを備えることができ、前記複数の鉛直部材を全体的に同一形状に形成することが好ましい。複数の鉛直部材の各々に水平方向に貫通する雨水流通用の貫通孔を設け、雨水貯留浸透施設用構造体を構成できる。【選択図】図１
2012059993.tif 000002
【特許請求の範囲】
【請求項１】
互いに間隔を開けて配置された複数の鉛直部材と、該複数の鉛直部材を一体的に連結する連結部材とを備えた地下構造体であって、
該地下構造体の水平方向の端部に位置する鉛直部材と、該鉛直部材に隣接する鉛直部材の各々に相対向する突出部を設け、該突出部が互いに当接することを特徴とする地下構造体。
【請求項２】
互いに間隔を開けて配置された複数の鉛直部材と、該複数の鉛直部材を一体的に連結する連結部材とを備えた地下構造体であって、
該地下構造体の水平方向の両端部に位置する鉛直部材と、該両端部に位置する鉛直部材の各々に隣接する鉛直部材の各々に相対向する突出部を設け、該突出部が互いに当接することを特徴とする地下構造体。
【請求項３】
前記複数の鉛直部材は各々板状に形成され、該板状鉛直部材の各々は、前記突出部が立設された面の反対側の面に、前記突出部と同形の突出部を挿入可能な孔部を備えることを特徴とする請求項１又は２に記載の地下構造体。
【請求項４】
前記複数の鉛直部材は、全体的に同一形状に形成されることを特徴とする請求項１、２又は３に記載の地下構造体。
【請求項５】
前記複数の鉛直部材の各々は、水平方向に貫通する雨水流通用の貫通孔を備えることを特徴とする請求項１乃至４のいずれかに記載の地下構造体。
【発明の詳細な説明】
【技術分野】
【０００１】
本発明は、雨水貯留浸透施設に用いられる構造体等、地下に埋設される構造体に関する。
【背景技術】
【０００２】
従来、雨水の有効利用を図り、雨水が河川や地下雨水管路網へ急激に流入することにより発生する都市型浸水災害を防止し、又は、地下水を涵養して地盤沈下を抑止するためなどの目的で、雨水貯留浸透施設が地下に埋設されている。【０００３】
上記雨水貯留浸透施設を構成する構造体として、例えば、特許文献１には、貯留浸透能力が高く、機械的強度と軽量性とを兼ね備えた構造体として、扁平状の仕切部材と、扁平状の側板部材と、隣接する面板部材の間で２つの突起の間に凹凸嵌合される面板部材とを組み合わせて構成した雨水貯留浸透施設用構造体が開示されている。【０００４】
また、特許文献２には、長手方向に伸びる内部空間を有し、地下に埋設される雨水貯留浸透施設用構造体と、半割り筒状で、上記内部空間を長手方向に沿って貫通する通水溝部材とで雨水貯留浸透施設用組立体を構成し、透水層と組み合わせて雨水貯留浸透施設を構成する技術が記載されている。
【先行技術文献】
【特許文献】
【０００５】
【特許文献１】日本特開２００６−０３７４８２号公報
【特許文献２】日本特開２００９−０２４４５３号公報
【発明の概要】
【発明が解決しようとする課題】
【０００６】
上記雨水貯留浸透施設用構造体等は、地下に埋設されると、水平方向の土圧を支持する必要があるため、従来、例えば、組立体の両端部に位置する鏡板等によって水平方向の土圧を支持していた。しかし、その支持構成が複雑であるため、該組立体等の設置作業に長時間を要し、設置コストが増加するという問題があった。【０００７】
また、上記雨水貯留浸透施設用組立体は、特に大型の商業施設等に用いるものなど大規模なものとなるが、設置作業のみならず、組立体を構成する各部材を搬送する場合にも手間を要し、改善の余地があった。【０００８】
さらに、上記雨水貯留浸透施設用組立体のみならず、所定の目的で地下に埋設される他の構造体についても、水平方向の土圧支持、構成部材の搬送性に関して同様の問題があった。【０００９】
そこで、本発明は、上記従来の雨水貯留浸透施設用組立体等の地下構造体における問題点に鑑みてなされたものであって、水平方向の土圧の支持に配慮しながら、簡単な構成で、搬送作業及び設置作業を容易に行うことができ、設置コストを低く抑えることのできる地下構造体を提供することを目的とする。
【課題を解決するための手段】
【００１０】
上記目的を達成するため、本発明は、互いに間隔を開けて配置された複数の鉛直部材と、該複数の鉛直部材を一体的に連結する連結部材とを備えた地下構造体であって、該地下構造体の水平方向の端部に位置する鉛直部材と、該鉛直部材に隣接する鉛直部材の各々に相対向する突出部を設け、該突出部が互いに当接することを特徴とする。【００１１】
そして、本発明によれば、地下構造体の水平方向の端部に位置する鉛直部材と、この鉛直部材に隣接する鉛直部材の各々の突出部が互いに当接することで、水平方向の土圧を支持することができるため、従来のような複雑な支持構成が不要となり、地下構造体を短時間で設置することができ、設置コストを大幅に低減することができる。【００１２】
また、本発明は、互いに間隔を開けて配置された複数の鉛直部材と、該複数の鉛直部材を一体的に連結する連結部材とを備えた地下構造体であって、該地下構造体の水平方向の両端部に位置する鉛直部材と、該両端部に位置する鉛直部材の各々に隣接する鉛直部材の各々に相対向する突出部を設け、該突出部が互いに当接することを特徴とする。【００１３】
本発明によれば、地下構造体の水平方向の両端部に位置する鉛直部材と、これらの鉛直部材に隣接する鉛直部材の各々の突出部が互いに当接することで、水平方向の土圧を支持することができるため、従来のような複雑な支持構成が不要となり、地下構造体を短時間で設置することができ、設置コストを大幅に低減することができる。【００１４】
上記地下構造体において、前記複数の鉛直部材を各々板状に形成し、該板状鉛直部材の各々を、前記突出部が立設された面の反対側の面に、前記突出部と同形の突出部を挿入可能な孔部を備えるように構成することができる。これにより、複数枚の鉛直部材を上下方向に隙間なく積層し、最も下の鉛直部材の突出部が下方を向くように地面等に置いた場合、地面等と最も下に置いた鉛直部材との間に隙間ができるので、この隙間を利用して、パレットを用いずにフォークリフトのフォークを差し込んで全体を持ち上げて搬送することができ、搬送性が向上する。【００１５】
上記地下構造体において、前記複数の鉛直部材を、全体的に同一形状に形成することができる。これによって、鉛直部材を成形するにあたって複数の金型等が不要となり製造の効率化を図ることができる。【００１６】
上記地下構造体において、前記複数の鉛直部材の各々を、水平方向に貫通する雨水流通用の貫通孔を備えるように構成することができ、水平方向の土圧の支持に配慮し、簡単な構成で、搬送作業及び設置作業を容易に行うことができ、設置コストを低く抑えることなどが可能な雨水貯留浸透施設用構造体を提供することができる。
【発明の効果】
【００１７】
以上のように、本発明によれば、水平方向の土圧の支持に配慮するとともに、簡単な構成で、搬送作業及び設置作業を容易に行うことができ、設置コストを低く抑えることのできる地下構造体を提供することができる。
【図面の簡単な説明】
【００１８】
【図１】本発明にかかる地下構造体の第１の実施形態を示す図であって、（ａ）は一部破断斜視図、（ｂ）は一部破断正面図、（ｃ）は上面図である。
【図２】図１の地下構造体の鉛直部材を示す図であって、（ａ）は突出部を有する面側から見た斜視図、（ｂ）は孔部を有する面側から見た斜視図、（ｃ）は複数の鉛直部材を積層した状態を示す斜視図である。
【図３】図１の地下構造体を複数組み合わせた組立体を示す図であって、（ａ）は斜視図、（ｂ）は上面図である。
【図４】鉛直部材の上に複数の連結部材を積層した状態を示す正面図である。
【図５】本発明にかかる地下構造体の一実施例としての雨水貯留浸透施設用構造体を構成する組立体を示す斜視図である。
【図６】図５の組立体の本体を示す斜視図である。
【図７】図５の組立体の鏡板を示す図であって、（ａ）は鏡板全体、（ｂ）は基体、（ｃ）は突起部材を示す斜視図である。
【図８】図５の組立体の側板を示す斜視図である。
【図９】図５の組立体の外側板を示す斜視図である。
【図１０】図５の組立体の上下板を示す斜視図である。
【図１１】図５の組立体の中間板を示す斜視図である。
【発明を実施するための形態】
【００１９】
次に、本発明を実施するための形態について図面を参照しながら説明する。
【００２０】
図１は、本発明にかかる地下構造体の第１の実施形態を構成するための組立体を示し、この組立体１は、互いに間隔を開けて配置された複数の鉛直部材２（２Ａ〜２Ｄ）と、これらの鉛直部材２を一体的に連結する連結部材３（３Ａ、３Ｂ）とで構成される。尚、図１（ａ）では、連結部材３Ａを仮想線で描き、図１（ｂ）では、連結部材３Ａを削除した状態を描いている。
【００２１】
鉛直部材２（２Ａ〜２Ｄ）は、再生プラスチック等の樹脂ですべて同一形状に成形され、図２（ａ）、（ｂ）に示すように、正方形状で均一な厚さを有する基板２ａと、基板２ａの一方の面に突設された円錐台状の４つの突出部２ｂと、基板２ａのもう一方の面に穿設された孔部２ｃとで構成される。
【００２２】
鉛直部材２の孔部２ｃは、前記突出部２ｂと同形の突出部を挿入可能に穿設され、これによって図２（ｃ）に示すように、複数枚の鉛直部材２を上下方向に、隣接する鉛直部材２の間に隙間なく積層することができる。
【００２３】
連結部材３（３Ａ、３Ｂ）も、再生プラスチック等の樹脂で同一形状の板状に成形され、鉛直部材２Ａ〜２Ｄの両側面に一体的に装着される。連結部材３を鉛直部材２に装着するには、鉛直部材２と連結部材３とに形成した嵌合構造（不図示）等により一体化することができる。
【００２４】
上述のように、鉛直部材２及び連結部材３は、各々樹脂成形によって製造することができるが、鉛直部材２（２Ａ〜２Ｄ）及び連結部材３（３Ａ、３Ｂ）は、各々同一形状を有するため、成形にあたって各々一種類の金型で製造することができて効率的である。
【００２５】
また、図２（ｃ）に示すように、複数枚の鉛直部材２を上下方向に隙間なく積層し、最も下の鉛直部材２の突出部２ｂが下方を向くように地面や床面に置いた場合、地面や床面と最も下に置いた鉛直部材２の基板２ａとの間に隙間ができるので、この隙間を利用して、パレットを用いずにフォークリフトのフォークを差し込んで全体を持ち上げて搬送することができ、搬送性も向上する。
【００２６】
図１に示すように、鉛直部材２Ａ、２Ｂは、両部材２Ａ、２Ｂの突出部２ｂが相対向するように配置され、両部材２Ａ、２Ｂの突出部２ｂは互いに当接している。一方、鉛直部材２Ｂ〜２Ｄは、水平方向に同じ向き（各々の突出部２ｂが同じ方向を向くように）配置される。
【００２７】
図３は、上記構成を有する組立体１（１Ａ〜１Ｆ）と、組立体１と類似の構成を有する組立体１１（１１Ａ〜１１Ｃ）（端部に相対向する突出部を有しない点で異なる）を組み合わせて構成した地下構造体１０を示す。尚、地下構造体１０の一端部に位置する組立体１（１Ｄ〜１Ｆ）の開放端部は、鉛直部材２Ａ〜２Ｄと同一形状の鉛直部材２Ｅで塞がれ、鉛直部材２Ｅに隣接する鉛直部材２Ｄの突出部２ｂは互いに当接している。
【００２８】
上記構成を有する地下構造体１０を地下に埋設すると、図３に示すように、水平方向の土圧Ｐを受けるが、土圧Ｐは、地下構造体１０の両端部に位置する組立体１（１Ａ〜１Ｆ）の端部に位置する鉛直部材２Ａ、２Ｂ（図１参照）、及び鉛直部材２Ｄ、２Ｅの相対向して互いに当接する４組の突出部２ｂ（図１及び図２参照）によって上記土圧を支持することができる。
【００２９】
以上のように、上記地下構造体１０によれば、地下構造体１０の両端部に位置する組立体１（１Ａ〜１Ｆ）の端部に位置する鉛直部材２Ａ、２Ｂ、及び鉛直部材２Ｄ、２Ｅによって水平方向の土圧Ｐを支持することができるため、従来のような複雑な支持構成が不要となり、短時間で設置することができ、設置コストを大幅に低減することができる。
【００３０】
また、鉛直部材２及び連結部材３を各々同一形状としたため、各々一種類の金型で製造することができ、これらの部材の製造コストも低減することができる。さらに、前記突出部２ｂと同形の突出部を挿入可能な孔部２ｃを鉛直部材２に穿設したため、複数枚の鉛直部材２を上下方向に隙間なく積層し、地面や床面と最も下に置いた鉛直部材２の基板２ａとの間に隙間を形成することができ、パレットを用いずに搬送することができ、搬送コストも抑えることができる。また、図４に示すように、鉛直部材２の上に複数の連結部材３を積層し、連結部材３もパレットを用いずに搬送することが可能となる。
【実施例】
【００３１】
次に、本発明の実施例として、上記地下構造体を雨水貯留浸透施設用構造体に適用した場合を例にとって説明する。【００３２】
図５は、上記雨水貯留浸透施設用構造体を構成するための組立体を示し、この組立体２１は、互いに間隔を開けて配置された４枚の本体２２（２２Ａ〜２２Ｄ）と、右端部に配置された鏡板２３と、これら本体２２及び鏡板２３を一体的に連結する側板２４、上下板２６及び中間板２７等で構成される。尚、図５では、手前側に位置する側板（又は外側板）を削除した状態を描いている。また、上記各構成部材は、プラスチック材料、特に再生プラスチック材料等の樹脂、又はプラスチック材料と無機粉体とを混合した複合材料を用いた成型品として構成することができる。【００３３】
本体２２（２２Ａ〜２２Ｄ）は、図６に示すように、枠体と補強部材等からなる扁平状の基体２２ａと、基体２２ａの四隅近傍に突設された円錐台状の４つの突出部２２ｂと、基体２２ａを貫通する貫通孔２２ｃとで構成される。貫通孔２２ｃは、人間が潜り抜けることができる程度の大きさを有する。また、４つの突出部２２ｂの内部は空洞となっており、複数枚の本体２２を上下に重ねた場合、隣接する本体２２の一方の突出部２２ｂが、他方本体２２の突出部２２ｂの空洞内に収まり、隙間を空けずに複数枚の本体２２を積層することができるように構成される。【００３４】
鏡板２３は、図７に示すように、枠体と補強部材等からなる扁平状の基体２３ａと、突起部材２３ｂとで構成される。基体２３ａの四隅近傍には、突起部材２３ｂを装着するための突起部材装着部１２３ａが形成され、突起部材２３ｂは、フランジ部２２３ｂと四角錐台状の突出部１２３ｂとで構成され、突起部材装着部１２３ａとフランジ部２２３ｂとに形成された凹凸構造等（不図示）により、突起部材２３ｂが基体２３ａに装着される。【００３５】
側板２４は、図８に示すように、枠体と補強部材等からなる扁平状の基体２４ａと、基体２４ａの中心部近傍上部に位置する２つの開口部２４ｂとで構成される。開口部２４ｂは、吸引・洗浄用のホース等を挿入するために用いられる。この側板２４は、組立体２１を複数組み合わせて雨水貯留浸透施設用構造体を構成した際に、隣接する組立体２１の間に配置される。【００３６】
外側板２５は、図９に示すように、枠体と補強部材等からなる扁平状に形成され、側板２４のような開口部２４ｂが存在しない点で側板２４と異なる。この外側板２５は、組立体２１を複数組み合わせて雨水貯留浸透施設用構造体を構成した際に、最も外側に位置する組立体２１に設けられる。【００３７】
上下板２６は、図１０に示すように、板状の基体２６ａに、上方又は下方に配置される本体２２又は鏡板２３との接合部２６ｂが形成され、組立体２１を複数組み合わせて雨水貯留浸透施設用構造体を構成した際に、最上部の組立体２１の上面、又は最下部の組立体２１の下面に配置される。【００３８】
中間板２７は、図１１に示すように、図１０に示した上下板２６に類似の構成を有する板状部材２７ａ、２７ｂを２枚背中合わせに重ね合わせて構成され、組立体２１を複数組み合わせて雨水貯留浸透施設用構造体を構成した際に、上下方向に隣接する２つの組立体２１の間に配置される。【００３９】
上記各部材２２〜２７を組み合わせて組立体２１を構成し、組立体２１をさらに複数組み合わせて雨水貯留浸透施設用構造体（不図示）を構成し、地下に埋設する。埋設した雨水貯留浸透施設用構造体の上方は、土、砂利、コンクリート又はアスファルト等の層によって覆うとともに、雨水貯留浸透施設用構造体の周囲を不織布等の保護層によって覆うことで、雨水貯留浸透施設用構造体の内部への土砂の流入が阻止される。【００４０】
上記構成を有する雨水貯留浸透施設用構造体を地下に埋設すると、図５に示すように（同図には１つの組立体２１のみ示す）、水平方向の土圧Ｐを受けるが、土圧Ｐは、組立体２１の端部に位置する鏡板２３と、鏡板２３に隣接する本体２２Ａの相対向して互いに当接する突出部２２ｂ及び突出部２３ｂ（４組存在する）によって上記土圧を支持することができる。そのため、従来のような複雑な支持構成が不要となり、短時間で設置することができ、設置コストを大幅に低減することができる。【００４１】
また、本体２２（２２Ａ〜２２Ｄ）を同一形状としたため、各々一種類の金型で製造することができ、組立体２１の製造コストも低減することができる。さらに、前記突出部２２ｂと同形の突出部を挿入可能な孔部を各本体２２に穿設したため、複数枚の本体２２を上下方向に隙間なく積層し、地面や床面と最も下に置いた本体２２の基体２２ａとの間に隙間を形成することができ、パレットを用いずに搬送することができ、搬送コストも抑えることができる。
【符号の説明】
【００４２】
１（１Ａ〜１Ｆ）  組立体
２（２Ａ〜２Ｅ）  鉛直部材
２ａ  基板
２ｂ  突出部
２ｃ  孔部
３  （３Ａ、３Ｂ）  連結部材
１０  地下構造体
１１（１１Ａ〜１１Ｃ）  組立体
２１  組立体
２２（２２Ａ〜２２Ｄ）  本体
２２ａ  基体
２２ｂ  突出部
２２ｃ  貫通孔
２３  鏡板
２３ａ  基体
１２３ａ  突起部材装着部
２３ｂ  突起部材
１２３ｂ  突出部
２２３ｂ  フランジ部
２４  側板
２４ａ  基体
２４ｂ  開口部
２５  外側板
２６  上下板
２６ａ  基体
２６ｂ  接合部
２７  中間板
２７ａ、２７ｂ  板状部材
【図１】
2012059993.tif 000003
【図２】
2012059993.tif 000004
【図３】
2012059993.tif 000005
【図４】
2012059993.tif 000006
【図５】
2012059993.tif 000007
【図６】
2012059993.tif 000008
【図７】
2012059993.tif 000009
【図８】
2012059993.tif 000010
【図９】
2012059993.tif 000011
【図１０】
2012059993.tif 000012
【図１１】
2012059993.tif 000013
【国際調査報告】
2012059993.tif 000014
2012059993.tif 000015
2012059993.tif 000016
2012059993.tif 000017